(57)【特許請求の範囲】
【請求項１】
トンネルの内壁面を覆うセグメントと、セグメントの内側に設置された型枠との間の空隙に、トンネル延伸方向の案内手段と、この案内手段に沿って動く振動発生手段とを設置し、既設側から前記空隙にコンクリートを前記振動発生手段によって締め固めつつ打設し、コンクリートの充填に伴って、振動発生手段を前記案内手段に沿って既設側から妻板側に向けて移動させる、二次覆工コンクリートの打設方法であって、
前記振動発生手段に棒状バイブレータを用い、前記案内手段に前記棒状バイブレータを載せて移動させるガイドレールを用い、そのガイドレールをトンネル天端部に配筋する鉄筋の背面に位置させておく、ことを特徴とする二次覆工コンクリートの打設方法。
【請求項２】
前記ガイドレールは、二次覆工コンクリートの段取り鉄筋を兼ねることを特徴とする請求項１記載の二次覆工コンクリートの打設方法。
【請求項３】
前記棒状バイブレータから延伸した接続線をフレキシブルホースで覆って妻板側解放端から引き出したことを特徴とする請求項１又は２記載の二次覆工コンクリートの打設方法。
【発明の詳細な説明】
【０００１】
【発明の属する技術分野】
本発明は、二次覆工コンクリートの打設方法に係り、詳細には、確実且つ容易にトンネル天端部の締め固めを行える打設方法に関する。
【０００２】
【従来の技術】
シールド工法によりトンネルを築造する際には、セグメントの内周にコンクリートを二次覆工する。この場合は、シールドの内周にセントル（鋼製型枠）を設け、このセントルとセグメントとの空隙にコンクリートを打設する。
【０００３】
【発明が解決しようとする課題】
コンクリートを緻密に打設するには、締め固め、すなわち打設したフレッシュコンクリートに振動を与える必要がある。
トンネル側壁等の締め固めは、検査窓からセグメントとセントルとの間にバイブレータを差し込むことで行える。
しかし、同様の方法によりトンネル天端部や両肩の締め固めを行うことは、鉄筋が入り組んでいる等から難しい。特に鉄筋の背面部は、バイブレータが届かなかったため締め固めを行えなかった。
また、トンネル天端部の締め固め方法の従来例としては、例えば特開平７−４８９９４号で開示された方法もある。しかし、この方法は、バイブレータ等の振動器を使用することなく、可動板の往復運動による押圧力のみで締め固めを行う方法であったため、十分に締め固めを行うことは難しかった。特に鉄筋の背面部分の締め固めを行うことは難しかった。
【０００４】
すなわち、従来は、二次覆工コンクリート打設において、トンネル天端部の締め固めを十分に行うことは難しかった。
本発明の課題は、トンネル天端部や両肩においても簡単且つ十分に二次覆工コンクリートの締め固めを行えるようにすることである。
【０００５】
【課題を解決するための手段】
以上の課題を解決するため、請求項１記載の発明は、二次覆工コンクリート（１００）の打設方法であって、セグメント（１２０）と型枠（例えばセントル１１０）との空隙（１３０）に、トンネル延伸方向の案内手段（例えばガイドレール２）と、この案内手段に沿って動く振動発生手段（例えば棒状バイブレータ１）とを設置し、既設側（例えばラップ部３側）から前記空隙にコンクリートを前記振動発生手段によって締め固めつつ打設し、コンクリートの充填に伴って、振動発生手段を前記案内手段に沿って既設側から妻板（４）側に向けて移動させることを特徴とする。
更に、本発明では、前記振動発生手段に棒状バイブレータを用い、前記案内手段に前記棒状バイブレータを載せて移動させるガイドレールを用い、そのガイドレールをトンネル天端部に配筋する鉄筋の背面に位置させておく、ことを特徴とする。
【０００６】
請求項１記載の発明によれば、振動発生手段の振動は直接コンクリート中に伝わるため、効率よく十分にコンクリートの締め固めを行える。
また、振動発生手段は、コンクリートの充填に伴って既設側から妻板側に移動しつつ、コンクリートの締め固めをするため、振動発生手段を大型に（或いは長尺に）する必要はない。従って、大がかりな装置を利用することなく振動発生手段を移動させることができる。また、案内手段を設けたため、振動発生手段は確実に移動し、最終的には確実に妻板側から引き抜かれる。
すなわち、本方法をトンネル天端部や両肩に適用することで、トンネル天端部や両肩においても簡単且つ確実にコンクリートの締め固めを行える。特に振動発生手段を鉄筋の背面に容易に配置できるため、鉄筋背面の締め固めも確実に行える。
【０００７】
請求項２記載の発明は、請求項１記載の二次覆工コンクリートの打設方法において、前記案内手段はレール状部材（例えばガイドレール２）であり、このレール状部材は、二次覆工コンクリートの段取り鉄筋を兼ねることを特徴とする。
請求項２記載の発明によれば、案内手段であるレール状部材が段取り鉄筋を兼ねるため、コストを下げられる。
【０００８】
請求項３記載の発明は、請求項１又は２記載の二次覆工コンクリートの打設方法において、前記振動発生手段から延伸した接続線（１１）をフレキシブルホース（１２）で覆って妻板側解放端から引き出したことを特徴とする。
請求項３記載の発明によれば、接続線をフレキシブルホースで覆っているため、接続線のうち引き抜いた部分を巻き取ったり或いは束ねることで小さくできる。従って、引き抜きの為の作業スペースを小さくすることができる。
ここで、接続線としては、電力ケーブルや信号線等、振動発生手段と外部とを電気的に接続する線が含まれる。
【０００９】
【発明の実施の形態】
以下、図を参照して本発明の実施の形態であるトンネル天端部における二次覆工コンクリート１００の打設方法について説明する。
図１に示すように、本方法は、セントル１１０（型枠）とセグメント１２０との空隙１３０に設置された棒状バイブレータ１及びそのガイドレール２を用いる方法である。
【００１０】
棒状バイブレータ１は、周知の棒状バイブレータ本体（図示省略）及びその接続線１１をフレキシブルホース１２内に納めたものであり、妻板４（妻板側解放端）からラップ部３（既設側）に向けて差込み、ガイドレール２上にスライド可能に載置されている。
ここで、棒状バイブレータ本体は空隙１３０のラップ部３すなわち最深部まで差し込み可能である。また、接続線１１には、電力ケーブルや信号線等が含まれる。
また、接続線１１およびフレキシブルホース１２は巻き取り可能である。
【００１１】
ガイドレール２は、図１及び図２に示すように、断面略Ｌ型のアングルを、凹向きに、ブラケット５を用いてセグメント１２０の段取筋取付部１２１から吊り下げ固定したものであり、空隙１３０にトンネル延伸方向に設置されている。すなわち、ガイドレール２は棒状バイブレータ１をスライド可能に載置してトンネル延伸方向に案内する部材である。
ここで、ガイドレール２は二次覆工コンクリート１００の段取筋を兼ねる。すなわち、二次覆工コンクリート１００の鉄筋１００ａは、ガイドレール２に組み付けられることで、所定の形状に建て込まれる。
【００１２】
また、ブラケット５は、図３に示すように、略長方形状の鋼板の上部にボルト穴５ａを、下部にガイドレール保持口５ｂを設けた構造である。すなわち、ボルト穴５ａ、ボルト及びナットを用いることで、段取筋取付部１２１に組み付けられ、ガイドレール保持口５ｂにガイドレール２を挿通載置して保持する。
【００１３】
上述した棒状バイブレータ１及びガイドレール２を用いて、以下の工程により、二次覆工コンクリート１００の天端部の打設を行う。
すなわち、図２に示すように、セントル１１０天端部にトンネル延伸方向に複数一列に設けられた検査窓１１１（コンクリート投入口を兼ねる）のうち、最もラップ部３の近くに位置する検査窓１１１から空隙１３０にフレッシュコンクリート１００ｂを注入し、ラップ部３側から空隙１３のコンクリート打設を行う。この際、棒状バイブレータ１を空隙１３０の最深部に配置し、作動させることで注入されたフレッシュコンクリート１００ｂに直接振動を加えて締め固めを行う。
【００１４】
そして、フレッシュコンクリート１００ｂの注入が進んで空隙１３０内のコンクリート充填部が妻板４側に向けて広がるにつれて、棒状バイブレータ１を妻板４から引っ張って妻板４側に移動させる。すなわち、コンクリート充填部の進行に合わせて棒状バイブレータ１を移動させることで、コンクリート充填完了部全体の締め固めを行う。この際、フレッシュコンクリート１００ｂに直接振動を加えて締め固めを行うので、確実に締め固めを行える。
【００１５】
ここで、接続線１１およびフレキシブルホース１２のうち、妻板４側から引き出された部分は巻き取り装置等により巻き取り保持される。従って、妻板４の先方に大きな作業スペースを確保したり、あるいは特殊な引き抜き装置を準備する必要はない。
【００１６】
従って、本実施の形態によれば、トンネル天端部においても、容易且つ確実に二次覆工コンクリート１００の締め固めを行える。特に棒状バイブレータ１及びガイドレール２を鉄筋１００ａの背面（セグメント１２０側）に位置させたため、背面の締め固めも確実に行える。
また、ガイドレール２は二次覆工コンクリート１００の段取り筋を兼ねるため、コストを削減できる。
【００１７】
なお、本発明は本実施の形態に限られるものではなく、二次覆工コンクリートのうち、天端部位外の部分（例えば両肩等）のコンクリート打設に適用してもよい。
また、ガイドレール２の形状や構成等も、棒状バイブレータをラップ部３から妻板４まで案内できる形状・構成であればよい。
その他、各部分の具体的な構成についても適宜に変更可能であることは勿論である。
【００１８】
【発明の効果】
請求項１記載の発明によれば、トンネル天端部や両肩においても簡単且つ確実にコンクリートの締め固めを行える。特に振動発生手段を鉄筋の背面に容易に配置できるため、鉄筋背面の締め固めも確実に行える。
【００１９】
請求項２記載の発明によれば、案内手段であるレール状部材が段取り鉄筋を兼ねるため、コストを下げられる。
請求項３記載の発明によれば、接続線のうち引き抜いた部分を巻き取ったり或いは束ねることで小さくできるため、引き抜きの為の作業スペースを小さくすることができる。
【図面の簡単な説明】
【図１】本発明の一実施の形態を説明するトンネル上部の縦断面概略図である。
【図２】図１の要部拡大図である。
【図３】図１に示したトンネル上部の横断面概略図である。
【符号の説明】
１    棒状バイブレータ（振動発生手段）
２    ガイドレール（レール状部材）
３    ラップ部
４    妻板
１１  接続線
１２  フレキシブルホース
１００  二次覆工コンクリート
１１０  セントル（型枠）
１２０  セグメント
１３０  空隙
【図１】
0004430210.tif 000002
【図２】
0004430210.tif 000003
【図３】
0004430210.tif 000004